(57)【特許請求の範囲】
【請求項１】
前面が開放された箱型部材であり、当該前面の上部に挿入口を有する断熱容器と、
背面の上部に設けられた開口部、上面に前記開口部に連通して設けられた挿入穴、及び、前記開口部を挟んで前記挿入穴に対向して設けられた支持穴を有する前面扉と、
前記前面扉を前記断熱容器に対して回動自在に上部で支持するヒンジ機構と、
前記前面扉を前記断熱容器に対して回動自在に下部で支持する回転機構とを備え、
前記ヒンジ機構は、
前記挿入口に取付け可能であり、一方の面に、前記開口部に挿入可能な挿入部が設けられ、前記挿入部に貫通孔が設けられた回転軸支持部と、
前記挿入穴から前記貫通孔を介して前記支持穴に回動自在に挿入可能な回転軸と、
前記回転軸の一端を支持可能な支持部を有し、前記挿入穴に嵌め込み可能な蓋とを有する
ことを特徴とする保存庫。
【請求項２】
前記前面扉は、
扉本体部と、
前記前面扉の上部を構成し、前記扉本体部に取付け可能な扉上蓋とを有し、
前記扉上蓋は、
裏面が開放された箱型部材であり、前記開口部及び前記挿入穴が設けられた上蓋本体部と、
前記上蓋本体部に裏面から取付け可能であり、前記支持穴が設けられた上蓋軸受け部とを有する
ことを特徴とする請求項１記載の保存庫。
【請求項３】
前記扉上蓋は、前記上蓋本体部に前記上蓋軸受け部が取付けられた状態において、前記扉本体部に取付け可能とする溝部が構成される
ことを特徴とする請求項２記載の保存庫。
【請求項４】
前記上蓋本体部は、金型を用いて樹脂成形され、
前記金型は、
前記上蓋本体部の前記開口部を除く部位を成形するベースコアと、
前記上蓋本体部の前記開口部を成形する位置に対向配置され、当該開口部を成形する突出面を有する第１の入れ子と当該突出面を有しない第２の入れ子を取替え可能であり、前記金型を閉じた状態において、前記ベースコアに前記突出面を接触させる位置までスライド可能なスライドコアとを有する
ことを特徴とする請求項２又は請求項３記載の保存庫。
【請求項５】
前記上蓋本体部は一端側に前記開口部を有し、
前記上蓋軸受け部は１つ設けられた
ことを特徴とする請求項２又は請求項３記載の保存庫。
【請求項６】
前記上蓋本体部は両端側に前記開口部及び前記挿入穴を有し、
前記ヒンジ機構が取付けられない前記開口部及び前記挿入穴に取付けられる隠蔽機構を備え、
前記隠蔽機構は、
一方の面に、前記開口部に挿入可能な挿入部が設けられ、前記挿入部に貫通孔が設けられ、前記開口部に嵌め込み可能な背面カバーと、
前記挿入穴から前記背面カバーの貫通孔を介して前記支持穴に挿入可能な固定軸と、
前記固定軸の一端を支持可能な支持部を有し、前記挿入穴に嵌め込み可能な蓋とを有する
ことを特徴とする請求項２又は請求項３記載の保存庫。
【請求項７】
前記挿入口は内部にリブを有し、
前記回転軸支持部は、前記挿入部とは反対側の面に、前記リブに嵌め込み可能なリブ挿入筒部を有する
ことを特徴とする請求項１から請求項６のうちのいずれか１項記載の保存庫。
【請求項８】
前記回転軸支持部は、前記前面扉が右開き用の場合と左開き用の場合とで兼用に構成された
ことを特徴とする請求項１から請求項７のうちのいずれか１項記載の保存庫。
【請求項９】
前記回転機構は、
前記前面扉に取付け可能な軸受け部と、
一端が前記断熱容器に取付けられ、他端が前記軸受け部に取付け可能な回転軸とを有する
ことを特徴とする請求項１から請求項８のうちのいずれか１項記載の保存庫。
【請求項１０】
前記回転機構は、前記前面扉が右開き用の場合と左開き用の場合とで兼用に構成された
ことを特徴とする請求項１から請求項９のうちのいずれか１項記載の保存庫。
【発明の詳細な説明】
【技術分野】
【０００１】
この発明は、前面扉を有する保存庫に関するものである。
【背景技術】
【０００２】
前面扉を有する冷蔵庫において、従来から、右開き又は左開きに変更可能とするものが知られている（例えば特許文献１参照）。特許文献１に開示された従来の冷蔵庫では、扉の上面左右に取付孔を設け、冷蔵庫本体の上面左右に貫通孔を有するヒンジ保持部材を設け、左右一方の取付孔及び貫通孔にヒンジピンを差し込む。これにより、容易に、扉を右開き又は左開きとすることができる。
【先行技術文献】
【特許文献】
【０００３】
【特許文献１】特開２００６−６４２７９号公報
【発明の概要】
【発明が解決しようとする課題】
【０００４】
しかしながら、特許文献１に開示された従来の冷蔵庫では、冷蔵庫本体に設けたヒンジ保持部材を覆うようにカバー部材が取付けられている。よって、隠蔽部品が大きく見栄えが悪いという課題があった。
【０００５】
この発明は、上記のような課題を解決するためになされたもので、従来構成に対してヒンジ機構の周りに設けられる開口及び隠蔽部品の縮小を行うことができ、見栄えを向上することができる保存庫を提供することを目的としている。
【課題を解決するための手段】
【０００６】
この発明に係る保存庫は、前面が開放された箱型部材であり、当該前面の上部に挿入口を有する断熱容器と、背面の上部に設けられた開口部、上面に開口部に連通して設けられた挿入穴、及び、開口部を挟んで挿入穴に対向して設けられた支持穴を有する前面扉と、前面扉を断熱容器に対して回動自在に上部で支持するヒンジ機構と、前面扉を断熱容器に対して回動自在に下部で支持する回転機構とを備え、ヒンジ機構は、挿入口に取付け可能であり、一方の面に、開口部に挿入可能な挿入部が設けられ、挿入部に貫通孔が設けられた回転軸支持部と、挿入穴から貫通孔を介して支持穴に回動自在に挿入可能な回転軸と、回転軸の一端を支持可能な支持部を有し、挿入穴に嵌め込み可能な蓋とを有するものである。
【発明の効果】
【０００７】
この発明によれば、上記のように構成したので、従来構成に対してヒンジ機構の周りに設けられる開口及び隠蔽部品の縮小を行うことができ、見栄えを向上することができる。
【図面の簡単な説明】
【０００８】
【図１】この発明の実施の形態１に係る冷蔵庫の構成例を示す図（右開きの場合）であり、（ａ）分解斜視図であり、（ｂ）（ａ）のＡ部拡大図である。
【図２】この発明の実施の形態１における前面扉の構成例を示す分解斜視図（右開きの場合）である。
【図３】この発明の実施の形態１における前面扉の構成例を示す分解斜視図（左開きの場合）である。
【図４】この発明の実施の形態１における扉上蓋及び上蓋軸受け部の構成例を示す図であり、（ａ）表側から見た分解斜視図であり、（ｂ）上蓋軸受け部の扉上蓋への取付けを説明する裏側から見た斜視図である。
【図５】この発明の実施の形態１における扉上蓋の金型の構成例を示す斜視図である。
【図６】この発明の実施の形態１における前面扉の構成例を示す図であり、（ａ）斜視部であり、（ｂ）（ａ）のＢ−Ｂ線断面図であり、（ｃ）（ｂ）のＣ部拡大図であり、（ｄ）（ｂ）のＤ部拡大図である。
【図７】この発明の実施の形態１における軸受け部、蓋、回転軸、回転軸支持部の構成例を示す図であり、（ａ）表側から見た斜視図であり、（ｂ）裏側から見た斜視図である。
【図８】この発明の実施の形態１における回転軸支持部の断熱容器への取付けを説明する図であり、（ａ）分解斜視図であり、（ｂ）回転軸支持部を断熱容器に取付けた状態を示す正面図であり、（ｃ）（ｂ）のＥ−Ｅ線断面図であり、（ｄ）（ｂ）のＦ−Ｆ線断面図である。
【図９】この発明の実施の形態１に係る冷蔵庫の構成例を示す図（左開きの場合）である。
【図１０】この発明の実施の形態２における前面扉の構成例を示す図であり、（ａ）右開きの場合を示す分解斜視図であり、（ｂ）左開きの場合を示す分解斜視図である。
【図１１】この発明の実施の形態３における前面扉の構成例を示す分解斜視図（左右兼用）である。
【図１２】この発明の実施の形態３における前面扉の予備組立を説明する図であり、（ａ）右開き用とする場合を示す分解斜視図であり、（ｂ）左開き用とする場合を示す分解斜視図である。
【図１３】この発明の実施の形態３における前面扉の予備組立（右開き用とする場合）の詳細を示す図であり、（ａ）分解斜視図であり、（ｂ）（ａ）Ｇ部拡大図であり、（ｃ）予備組立後の状態を示す斜視図である。
【発明を実施するための形態】
【０００９】
以下、この発明の実施の形態について図面を参照しながら詳細に説明する。
実施の形態１．
保存庫は、保冷又は保温を行う小型（収容量が１０〜４０リットル程度）の装置である。以下では、保存庫として、保冷を行う小型の冷蔵庫を例に説明を行う。なお実施の形態１では、主に、右開き用の冷蔵庫を例にして説明を行う。
この冷蔵庫は、図１等に示すように、断熱容器１、前面扉２、ヒンジ機構３及び回転機構４を備えている。
【００１０】
断熱容器１は、前面が開放された箱型部材であり、内部に収納物（食品、飲料等）が収容されるものである。ここでは、２リットルのペットボトルを収納可能な庫内寸法のものを想定している。
【００１１】
また、断熱容器１の前面上部には、左右に、ヒンジ機構３の後述する回転軸支持部３１の取付け部３１１を取付け可能とする挿入口１１が設けられている。また、挿入口１１には、図８に示すように、回転軸支持部３１の後述するリブ挿入筒部３１３を嵌め込み可能とするリブ１１１と、回転軸支持部３１を固定する際に用いるネジ穴１１２とが設けられている。また、図１に示すように、回転軸支持部３１が取付けられない挿入口１１にはカバー１２が被せられて隠蔽される。
【００１２】
また、図１に示すように、断熱容器１の左右の前脚部１３には、回転機構４の後述する回転軸４２を挿入可能とする挿入穴１４が設けられている。なお、回転軸４２が挿入されない挿入穴１４にはキャップ１５が被せられて隠蔽される。
【００１３】
前面扉２は、左右いずれか一方に取付けられたヒンジ機構３及び回転機構４を介して断熱容器１に取付けられることで、断熱容器１の前面を開閉するものである。この前面扉２の詳細構成例については後述する。
【００１４】
ヒンジ機構３は、前面扉２を断熱容器１に対して回動自在に上部で支持するものである。このヒンジ機構３の詳細構成例については後述する。
回転機構４は、前面扉２を断熱容器１に対して回動自在に下部で支持するものである。この回転機構４の詳細構成例については後述する。
【００１５】
次に、前面扉２の構成例について説明する。
前面扉２は、図２に示すように、扉外郭板２１、扉背面板２２、扉下蓋２３及び扉上蓋２４を有している。なお、扉外郭板２１、扉背面板２２及び扉下蓋２３から成る部位は、本発明の扉本体部に相当する。
【００１６】
扉外郭板２１は、前面扉２の表面の外郭を構成する板状部材である。
扉背面板２２は、樹脂部材（例えばポリプロピレン）から成り、前面扉２の裏面の外郭を構成する板状部材である。この扉背面板２２の両側面には、扉外郭板２１の側面と係合する係合溝２２１が設けられている。また、扉背面板２２には注入口２２２が設けられている。そして、前面扉２の筐体部分が組立てられた後、注入口２２２から内部に発泡ウレタン等の断熱材（不図示）が注入される。
【００１７】
扉下蓋２３は、樹脂部材から成り、係合した扉外郭板２１と扉背面板２２の下端に取付けられる板状部材である。この扉下蓋２３の一方の面には、係合した扉外郭板２１と扉背面板２２の下端に取付け可能とする溝部２３１が設けられている。また、図６（ｄ）に示すように、扉下蓋２３の他方の面（底面）には、左右に、回転機構４の後述する軸受け部４１を挿入可能な挿入穴２３２が設けられている。
【００１８】
図２に示すように、扉上蓋２４は、樹脂部材から成り、係合した扉外郭板２１と扉背面板２２の上端に取付けられる箱型部材である。この扉上蓋２４は、上蓋本体部２５及び２つの上蓋軸受け部２６ａ，２６ｂを有している。
【００１９】
図４に示すように、上蓋本体部２５は、裏面が開放された箱型部材である。この上蓋本体部２５には、左右のうち一方の背面に、回転軸支持部３１の後述する挿入部３１４を挿入可能な開口部２５１が設けられている。また、上蓋本体部２５の上面には、上面に開口部２５１に連通した挿入穴２５２が設けられている。この挿入穴２５２は、最小でも、ヒンジ機構３の後述する回転軸３２を挿入可能とする寸法を有する。また、意匠としての対称性を持たせるため、上蓋本体部２５の開口部２５１が設けられていない側の端部（図４（ａ）では右側）にも挿入穴２５２が設けられている。
【００２０】
上蓋軸受け部２６ａ，２６ｂは、上蓋本体部２５の裏面から左右に取付け可能に構成されたものである。なお、上蓋本体部２５の一端側に取付けられる上蓋軸受け部２６ａと、他端側に取付けられる上蓋軸受け部２６ｂは、左右反転した形状に構成されている。この上蓋軸受け部２６ａ，２６ｂには、上蓋本体部２５に取付けられた状態において開口部２５１を挟んで挿入穴２５２に対向する、支持穴２６１が設けられている。この支持穴２６１は、挿入穴２５２から回転軸支持部３１の後述する貫通孔３１５を介して挿入された回転軸３２を回動自在に支持するものである。
【００２１】
なお本発明では、扉上蓋２４を、上蓋本体部２５と上蓋軸受け部２６ａ，２６ｂに分けて構成している。これは、冷蔵庫を開閉する際に前面扉２とヒンジ機構３が干渉することがない空間を確保し、断熱容器１と前面扉２との取付け間隔を考慮した上で、ヒンジ機構３周りの開口面積を最小とする場合には、扉上蓋２４を一体で樹脂成形することができないためである。
【００２２】
また、図４（ｂ）に示すように、扉上蓋２４では、上蓋本体部２５の裏面の両端に上蓋軸受け部２６ａ，２６ｂが取付けられることで、係合した扉外郭板２１と扉背面板２２の上端に取付け可能とする溝部２４１が構成される。これは、樹脂成形で扉上蓋２４の端部に開口部２５１を形成し、断熱容器１と前面扉２との取付け間隔を狭めるためである。また、右開き用と左開き用とに関わらず、上蓋本体部２５に２つの上蓋軸受け部２６ａ，２６ｂを取付けることで、上蓋本体部２５を共通の金型６で樹脂成形することができる。
【００２３】
また、前面扉２を左開き用とする場合には、図３に示すような構成となる。すなわち、図２に示す構成に対して、上蓋本体部２５の開口部２５１の位置を反対側に変えている。それ他の構成は同じである。また、図２，３に示す上蓋本体部２５は、共通の金型６を用いて樹脂成形することができる。以下、その金型６の構成例について示す。
【００２４】
図５はこの発明の実施の形態１における上蓋本体部２５の金型６の構成例を示す図である。なお図５では、下側の金型のみを示している。
図５に示すように、金型６は、ベースコア６１及びスライドコア６２ａ〜６２ｄを有している。
【００２５】
ベースコア６１は、上蓋本体部２５の開口部２５１を除く部位を成形する金型である。
スライドコア６２ａ〜６２ｄは、上蓋本体部２５の開口部２５１を成形する位置にスライド可能に対向配置された金型である。図５では、スライドコア６２ａ，６２ｂはベースコア６１の右端に配置され、スライドコア６２ｃ，６２ｄはベースコア６１の左側に配置されている。このスライドコア６２ａ〜６２ｄは、スライド可能な台座部６２１と、台座部６２１の型割面に着脱可能な第１，２の入れ子６２２，６２３とを有している。第１の入れ子６２２には、開口部２５１を成形する突出面６２４が設けられている。一方、第２の入れ子６２３には、突出面６２４が設けられていない。また、台座部６２１は、金型６を閉じた状態において、ベースコア６１に突出面６２４を接触させる位置までスライド可能に構成されている。
【００２６】
そして、図５に示すように、スライドコア６２ｃ，６２ｄに第１の入れ子６２２を取付け、スライドコア６２ａ，６２ｂに第２の入れ子６２３を取付けた場合、金型６を閉じると、スライドコア６２ｃ，６２ｄ側では突出面６２４がベースコア６１に接触し、スライドコア６２ａ，６２ｂ側ではベースコア６１との間に空間が設けられることになる。よって、この状態で射出成形を行うと、スライドコア６２ｃ，６２ｄ側では、突出面６２４の部分には樹脂が流れ込まないため、開口部２５１が形成される。一方、スライドコア６２ａ，６２ｂ側では、上記空間部分に樹脂が流れ込むため、開口部２５１は形成されない。これにより図３に示すような左開き用の上蓋本体部２５が成形される。
【００２７】
また、図２に示すような右開き用の上蓋本体部２５を成形する場合には、スライドコア６２ａ，６２ｂに突出面６２４を有する第１の入れ子６２２を取付け、スライドコア６２ｃ，６２ｄに突出面６２４を有しない第２の入れ子６２３を取付ければよい。
図６に示すような金型６を用いることで、本発明の構成を得るための金型６の数を減らすことができ、初期投資額を抑えることができる。
【００２８】
次に、前面扉２の組立て例について説明する。
前面扉２の組立て例では、図２に示すように、まず、扉外郭板２１に係合溝２２１を嵌め込むことで、扉外郭板２１と扉背面板２２とを係合させる。その後、係合した扉外郭板２１と扉背面板２２の下端に溝部２３１を嵌め込むことで、扉下蓋２３を取付ける。
また、上蓋本体部２５の裏面の両端に上蓋軸受け部２６ａ，２６ｂを取付けることで扉上蓋２４を構成する。その後、係合した扉外郭板２１と扉背面板２２の上端に溝部２４１（図４（ｂ））を嵌め込むことで、扉上蓋２４を取付ける。その後、扉背面板２２の注入口２２２から内部に断熱材を注入する。これにより、図６に示すような前面扉２を構成することができる。なお、注入口２２２は化粧ラベル（不図示）で隠蔽される。
【００２９】
なお図２において、上蓋本体部２５の開口部２５１が形成されていない側（図２では右側）に取付けられた上蓋軸受け部２６ｂは、使用上では機能しない。しかしながら、上蓋本体部２５と２つの上蓋軸受け部２６ａ，２６ｂで扉上蓋２４の溝部２４１を構成しており、また、前面扉２の内部に注入した断熱材が流出してしまう恐れがあるため、機能しない上蓋軸受け部２６ｂについても取付ける必要がある。
また、断熱材として発泡ウレタンを用いた場合には接着力があるが、扉背面板２２は樹脂製のため、接着はできない。しかしながら、扉背面板２２の左右は係合溝２２１により扉外郭板２１に嵌め込まれ、上下は扉下蓋２３と扉上蓋２４の溝部２３１，２４１が嵌め込まれるように構成しているため、充填発泡後の断熱材の剥離を防ぐことができる。
【００３０】
次に、ヒンジ機構３の構成例について説明する。
ヒンジ機構３は、前面扉２を断熱容器１に対して回動自在に上部で支持するものである。このヒンジ機構３は、図１，７に示すように、回転軸支持部３１、回転軸３２及び蓋３３を有している。
【００３１】
回転軸支持部３１は、樹脂部材（例えばＡＢＳ樹脂）から成り、回転軸３２を介して断熱容器１に前面扉２を接続するものである。図７に示すように、この回転軸支持部３１には、断熱容器１の挿入口１１に取付け可能な取付け部３１１が設けられている。この取付け部３１１には、回転軸支持部３１を固定する際に用いるネジ穴３１２が設けられている。また、取付け部３１１の一方の面には、挿入口１１のリブ１１１に嵌め込み可能なリブ挿入筒部３１３が挿入方向に延びて設けられている。また、取付け部３１１の他方の面には、前面扉２の開口部２５１に挿入可能な挿入部３１４が設けられている。また、この挿入部３１４には、前面扉２の開口部２５１に挿入された後、回転軸３２が通される貫通孔３１５が設けられている。なお、回転軸支持部３１は、表裏が対称に構成され、右開き用と左開き用とで兼用に構成されている。
【００３２】
回転軸３２は、図１（ｂ）に示すように、前面扉２の挿入穴２５２から貫通孔３１５を介して支持穴２６１に回動自在に挿入可能なものである。この回転軸３２は金属製（鉄棒）である。
【００３３】
蓋３３は、図７に示すように、樹脂部材から成り、回転軸３２を支持可能な支持部３３１を有し、前面扉２の挿入穴２５２に嵌め込み可能なものである。なお、図１（ａ）に示すように、ヒンジ機構３が取付けられない側（図１（ａ）では右側）の挿入穴２５２にも同一の蓋３３が嵌め込まれ、意匠としての対称性を持たせている。また、ヒンジ機構３が取付けられた側の蓋３３の色を周囲の部位と変えることで、扉の開閉方向を使用者に認識させ易くすることもできる。
【００３４】
次に、回転機構４の構成例について説明する。
回転機構４は、前面扉２を断熱容器１に対して回動自在に下部で支持するものである。この回転機構４は、図１，７に示すように、軸受け部４１及び回転軸４２を有している。
【００３５】
軸受け部４１は、樹脂部材（例えばナイロン樹脂）から成り、前面扉２の挿入穴２３２に挿入可能なものである。
回転軸４２は、樹脂部材（例えばＰＯＭ樹脂）から成り、前面扉２と断熱容器１とを回動自在に接続するものである。この回転軸４２の一端には、前脚部１３の挿入穴１４に挿入可能な挿入部４２１が設けられ、他端には、軸受け部４１に取付け可能な挿入部４２２が設けられている。
なお、軸受け部４１及び回転軸４２は、右開き用と左開き用とで兼用である。
【００３６】
また本発明では、ヒンジ機構３の回転軸３２を金属製としており、上蓋軸受け部２６ａ，２６ｂをＡＢＳ樹脂製としても回動時に異音が出にくい。一方、回転機構４の回転軸４２をＰＯＭ樹脂製とし、軸受け部４１をＡＢＳ樹脂製とすると、回動時に異音が出やすいことが経験的に判明している。一方、ＰＯＭ樹脂製の部材とナイロン樹脂製の部材の組み合わせは異音が出にくいことも判明している。そこで本発明では、扉下蓋２３に、ナイロン樹脂製の軸受け部４１を取付け可能な構造を採用している。なお、回転機構４の回転軸４２をＰＯＭ樹脂製とすることで、前面扉２が閉じる手前約１０°の辺りで自動的に閉じる機能（自動閉鎖機能）を付加することができる。
【００３７】
次に、前面扉２の断熱容器１への取付け例について説明する。
前面扉２の断熱容器１への取付け例では、図１（ａ）に示すように、まず、前面扉２の下面の挿入穴２３２（図６（ｄ））に軸受け部４１を取付ける。また、断熱容器１の挿入穴１４に回転軸４２を取付ける。
【００３８】
また、図８に示すように、断熱容器１の挿入口１１に回転軸支持部３１の取付け部３１１を取付ける。この際、回転軸支持部３１のリブ挿入筒部３１３をリブ１１１に嵌め込むようにして取付けを行う。そして、タッピングネジ５を用いて、ネジ穴１１２，３１２を介して断熱容器１に回転軸支持部３１を固定する。
【００３９】
そして、図１に示すように、前面扉２に取付けた軸受け部４１を断熱容器１に取付けた回転軸４２に嵌め込む。また、断熱容器１に取付けた回転軸支持部３１の挿入部３１４を前面扉２の開口部２５１に挿入する。そして、回転軸３２を挿入穴２５２から貫通孔３１５を介して支持穴２６１まで差し込む。その後、蓋３３を挿入穴２５２に嵌め込む。
以上により、前面扉２を断熱容器１へ組付けることができる。なお左開き用とする場合には、図９に示すような取付けとなる。
【００４０】
なお、図に示す断熱容器１では、回転軸支持部３１を取付けるための空間は、意匠上設けられた面取り形状と、断熱容器１の外郭板金を挿入する溝形状との制約を受け、狭い空間しか得られない。そのため、回転軸支持部３１を取付けるためのタッピングネジ５は小さいもの（Ｍ３等）しか用いることができない。よって、例えば前面扉２を開いた状態で物が落下した場合等、前面扉２の回転動作以外の応力に対して、ネジ固定だけでは十分な強度が得られない。そこで、本発明では、断熱容器１の挿入口１１にリブ１１１を設け、回転軸支持部３１にリブ１１１に嵌め込み可能なリブ挿入筒部３１３を設けた。ここで、リブ挿入筒部３１３とリブ１１１との隙間は０．０５ｍｍ程度に設定する。これにより、タッピングネジ５が変形してしまうような応力に対して、タッピングネジ５が破損するより小さな変形の時点で、挿入口１１の内壁とリブ挿入筒部３１３の外壁あるいはリブ挿入筒部３１３とリブ１１１が当接する。その結果、小さいタッピングネジ５を用いた場合であっても、荷重をリブ１１１とリブ挿入筒部３１３で受けることができる。
【００４１】
なお上記では、保存庫として、保冷を行う冷蔵庫を用いて説明を行った。しかしながら、これに限るものではなく、保温を行う温蔵庫に対しても本発明の構成を同様に適用することが可能である。
【００４２】
以上のように、この実施の形態１によれば、前面が開放された箱型部材であり、当該前面の上部に挿入口１１を有する断熱容器１と、背面の上部に設けられた開口部２５１、上面に開口部２５１に連通して設けられた挿入穴２５２、及び、開口部２５１を挟んで挿入穴２５２に対向して設けられた支持穴２６１を有する前面扉２と、前面扉２を断熱容器１に対して回動自在に上部で支持するヒンジ機構３と、前面扉２を断熱容器１に対して回動自在に下部で支持する回転機構４とを備え、ヒンジ機構３は、挿入口１１に取付け可能であり、一方の面に、開口部２５１に挿入可能な挿入部３１４が設けられ、挿入部３１４に貫通孔３１５が設けられた回転軸支持部３１と、挿入穴２５２から貫通孔３１５を介して支持穴２６１に回動自在に挿入可能な回転軸３２と、回転軸３２の一端を支持可能な支持部３３１を有し、挿入穴２５２に嵌め込み可能な蓋３３とを有するので、従来構成に対してヒンジ機構３の周りに設けられる開口及び隠蔽部品の縮小を行うことができ、見栄えを向上することができる。
また、ヒンジ機構３として、回転軸支持部３１と回転軸３２を分離することで、右開き用と左開き用の両方に兼用可能な構成とすることができる。また、分離構造とすることで、前面扉２の上面の挿入穴２５２に必要な開口面積は、最小としては回転軸３２を差し込むのに必要な面積であり、最大でも軸交換用の工具を挿入するのに必要な面積でよく、従来構成よりも大幅に小型化することができる。また、左右対称の外観としても従来構成よりも安価となる。また、分離構造とすることで、前面扉２の開口部２５１に必要な開口面積は、回転軸支持部３１を挿入するのに必要な面積と、前面扉２の回転を妨げないために必要な面積となる。
【００４３】
また、前面扉２は、扉本体部（扉外郭板２１、扉背面板２２及び扉下蓋２３）と、前面扉２の上部を構成し、扉本体部に取付け可能な扉上蓋２４とを有し、扉上蓋２４は、裏面が開放された箱型部材であり、開口部２５１及び挿入穴２５２が設けられた上蓋本体部２５と、上蓋本体部２５に裏面から取付け可能であり、支持穴２６１が設けられた上蓋軸受け部２６ａ，２６ｂとを有するので、保存庫を開閉する際に前面扉２とヒンジ機構３が干渉することがない空間を確保し、前面扉２と断熱容器１との取付け間隔を考慮した上で、ヒンジ機構３周りの開口面積を最小とする設計が可能となる。
【００４４】
また、扉上蓋２４は、上蓋本体部２５に上蓋軸受け部２６ａ，２６ｂが取付けられた状態において扉本体部に取付け可能とする溝部２４１が構成されるので、樹脂成形で扉上蓋２４の端部に開口部２５１を形成し、断熱容器１と前面扉２との取付け間隔を狭めることができる。
【００４５】
また、上蓋本体部２５は、金型６を用いて樹脂成形され、金型６は、上蓋本体部２５の開口部２５１を除く部位を成形するベースコア６１と、上蓋本体部２５の開口部２５１を成形する位置に対向配置され、当該開口部２５１を成形する突出面６２４を有する第１の入れ子６２２と当該突出面６２４を有しない第２の入れ子６２３を取替え可能であり、金型６を閉じた状態において、ベースコア６１に突出面６２４を接触させる位置までスライド可能なスライドコア６２ａ〜６２ｄとを有するので、上蓋本体部２５を右開き用と左開き用とに関わらず、共通の金型６で樹脂成形することができ、初期投資額を抑えることができる。
【００４６】
また、挿入口１１は内部にリブ１１１を有し、回転軸支持部３１は、挿入部３１４とは反対側の面に、リブ１１１に嵌め込み可能なリブ挿入筒部３１３を有するので、回転軸支持部３１の取付け空間が狭い場合であっても、リブ１１１とリブ挿入筒部３１３で荷重を受けることができる。
【００４７】
また、回転軸支持部３１は、前面扉３が右開き用の場合と左開き用の場合とで兼用に構成されたので、共通の金型で樹脂成形が可能となる。
【００４８】
また、回転機構４は、前面扉２に取付け可能な軸受け部４１と、一端が断熱容器１に取付けられ、他端が軸受け部４１に取付け可能な回転軸４２とを有するので、ナイロン樹脂製の軸受け部４１とＰＯＭ樹脂製の回転軸４２を用いることができ、前面扉２に自動閉鎖機能を付加することができる。
【００４９】
また、回転機構４は、前面扉３が右開き用の場合と左開き用の場合とで兼用に構成されたので、共通の金型で樹脂成形が可能となる。
【００５０】
実施の形態２．
実施の形態１では、共通の金型６を用いて、上蓋本体部２５を右開き用又は左開き用として成形する場合について示した。しかしながら、この場合には、例えば図２に示すように、使用上機能しない上蓋軸受け部２６ｂも必要となり、部品点数が多くなる。そこで、例えば図１０に示すように、右開き用の上蓋本体部２５と左開き用の上蓋本体部２５とをそれぞれ専用部品として成形し、上蓋軸受け部２６ａ，２６ｂを単一としてもよい。この場合の扉上蓋２４の構成以外の構成は、実施の形態１の構成と同様であり、その説明を省略する。
【００５１】
図１０に示す専用部品である上蓋本体部２５を用いて保存庫を構成した場合には、上蓋軸受け部２６ａ，２６ｂは単一でよいため、実施の形態１に示した保存庫に対して１台当たりの部品点数は少なくなり、安価となる。しかしながら、上蓋本体部２５が専用部品となるため、実施の形態１の構成よりも上蓋本体部２５の金型６が１つ増え、初期投資額が大きくなる。
【００５２】
また、実施の形態１では、上蓋軸受け部２６ａ，２６ｂは、セット取りとして１つの金型６で成形可能である。一方、概して右開きと左開きの受注数は同じにはならないので、実施の形態２の場合には、上蓋軸受け部２６ａ，２６ｂに対して、左右独立の金型６が必要となる。なお、右開き用の上蓋本体部２５及び上蓋軸受け部２６ａと、左開き用の上蓋本体部２５及び上蓋軸受け部２６ｂとで、それぞれセット取りとする方法も考えられるが、製品重量に差があるため、樹脂ランナーの取り回しが複雑になることや、成形条件の設定に困難が出る場合が多いと考えられる。
【００５３】
以上のように、この実施の形態２によれば、上蓋本体部２５は一端側に開口部２５１を有し、上蓋軸受け部２６ａ，２６ｂは１つ設けられたので、実施の形態１の構成に対して１台当たりの部品点数を少なくできる。
【００５４】
実施の形態３．
実施の形態１では、共通の金型６を用いて、上蓋本体部２５を右開き用又は左開き用として成形する場合について示した。しかしながら、これに限るものではなく、例えば図１１に示すように、両端側に開口部２５１を成形した上蓋本体部２５を用いて左右兼用としてもよい。この場合の上蓋本体部２５の構成以外の構成は、実施の形態１の構成と同様であり、その説明を省略する。
【００５５】
図１１に示すように、左右兼用の上蓋本体部２５を構成する場合には、背面の左右に、回転軸支持部３１の挿入部３１４を挿入可能とする開口部２５１を形成する。また、左右兼用の上蓋本体部２５を用いる場合には、ヒンジ機構３が取付けられない側の開口部２５１及び挿入穴２５２に対して隠蔽機構７を取付けて隠蔽を行う。
【００５６】
隠蔽機構７は、図１２，１３に示すように、背面カバー７１、固定軸７２及び蓋７３から構成される。
背面カバー７１は、前面扉２の開口部２５１に嵌め込み可能に構成されたものである。この背面カバー７１には、裏面に、開口部２５１に挿入可能な挿入部７１１が設けられている。また、この挿入部７１１には固定軸７２が挿入される貫通孔７１２が設けられている。
【００５７】
固定軸７２は、背面カバー７１を固定するものである。この固定軸７２は、挿入穴２５２から貫通孔７１２を介して支持穴２６１に挿入される。
蓋７３は、固定軸７２の一端を支持可能な支持部７３１を有し、前面扉２の挿入穴２５２に嵌め込み可能なものである。
【００５８】
そして、実施の形態３の構成では、断熱容器１に前面扉２を取付ける前に、前面扉２を右開き用又は左開き用とするための予備組立を行う。
この予備組立では、図１２，１３に示すように、前面扉２に対して、ヒンジ機構３を取付けない側の開口部２５１及び挿入穴２５２を隠蔽機構７で隠蔽する。この際、まず、背面カバー７１を、前面扉２のヒンジ機構３を取付けない側の開口部２５１に嵌め込む。この際、背面カバー７１の挿入部７１１を上記開口部２５１に挿入するようにして嵌め込みを行う。そして、固定軸７２を、ヒンジ機構３を取付けない側の挿入穴２５２から貫通孔７１２を介して支持穴２６１まで差し込む。そして、蓋７３を、上記挿入穴２５２に嵌め込む。これにより、前面扉２を右開き用又は左開き用として用いることができる。
【００５９】
この実施の形態３では、隠蔽機構７が、右開き用と左開き用で専用部品となるので、その金型分だけ実施の形態１よりも初期投資額が大きくなる。しかしながら、その額は実施の形態２より少ない。
また、右開きとするか左開きとするかの選択をエンドユーザに任せるものとする場合には、保存庫一台につき隠蔽機構７を２組設ける必要があるため、左右セット取りとすることが可能である。しかしながら、この場合には、部品点数が増える（固定軸７２を含めて３個増える）ので実施の形態１，２に対して製造コストが大きくなる。また、軸位置を調整すれば、左右兼用も可能であるが、断熱容器１と前面扉２との間隔に制約が発生するので、意匠上の問題が残る。
【００６０】
以上のように、この実施の形態３によれば、上蓋本体部２５は両端側に開口部２５１及び挿入穴２５２を有し、ヒンジ機構３が取付けられない開口部２５１及び挿入穴２５２に取付け可能な隠蔽機構７を備え、隠蔽機構７は、一方の面に、開口部２５１に挿入可能な挿入部７１１が設けられ、挿入部７１１に貫通孔７１２が設けられ、開口部２５１に嵌め込み可能な背面カバーと、挿入穴２５２から背面カバー７１の貫通孔７１２を介して支持穴２６１に挿入可能な固定軸７２と、固定軸７２の一端を支持可能な支持部７３１を有し、挿入穴２５２に嵌め込み可能な蓋７３とを有するので、実施の形態１に対して、前面扉２を右開きとするか左開きとするかをエンドユーザに任せることが可能となる。
【００６１】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１  断熱容器、２  前面扉、３  ヒンジ機構、４  回転機構、５  タッピングネジ、６  金型、７  隠蔽機構、１１  挿入口、１２  カバー、１３  前脚部、１４  挿入穴、１５  キャップ、２１  扉外郭板、２２  扉背面板、２３  扉下蓋、２４  扉上蓋、２５  上蓋本体部、２６ａ，２６ｂ  上蓋軸受け部、３１  回転軸支持部、３２  回転軸、３３  蓋、４１  軸受け部、４２  回転軸、６１  ベースコア、６２ａ〜６２ｄ  スライドコア、７１  背面カバー、７２  回転軸、７３  蓋、１１１  リブ、１１２  ネジ穴、２２１  係合溝、２２２  注入口、２３１  溝部、２３２  挿入穴、２４１  溝部、２５１  開口部、２５２  挿入穴、２６１  支持穴、６２１  台座部、６２２，６２３  第１，２の入れ子、６２４  突出面、３１１  取付け部、３１２  ネジ穴、３１３  リブ挿入筒部、３１４  挿入部、３１５  貫通孔、３３１  支持部、４２１  挿入部、４２２  挿入部、７１１  挿入部、７１２  貫通孔、７３１  支持部。
【図１】
0006265950.tif 000002
【図２】
0006265950.tif 000003
【図３】
0006265950.tif 000004
【図４】
0006265950.tif 000005
【図５】
0006265950.tif 000006
【図６】
0006265950.tif 000007
【図７】
0006265950.tif 000008
【図８】
0006265950.tif 000009
【図９】
0006265950.tif 000010
【図１０】
0006265950.tif 000011
【図１１】
0006265950.tif 000012
【図１２】
0006265950.tif 000013
【図１３】
0006265950.tif 000014